(57)【要約】【課題】新規方式のウェブ輪転印刷機を提供することである。【解決手段】本発明により、被印刷物ウェブ又は各被印刷物ウェブ及び／又は部分ウェブ又は各部分ウェブの輸送路に沿って方向転換構造体及び折畳構造体によってそれぞれ少なくとも１つの案内ローラ(１５)が位置決めされており、案内ローラ(１５)の両端部(１９、２０)にそれぞれ１つの調整ユニット(２１)が組み込まれており、調整ユニット(２１)を介して各案内ローラ(１５)の各端部(１９、２０)が各被印刷物ウェブ又は部分ウェブの走行方向へ及び／又は該走行方向と逆に線状に移動可能であり、すなわち各案内ローラ(１５)の両端部(１９、２０)が切断レジスタの干渉のために均等に又は各案内ローラ(１５)の両端部(１９、２０)が各被印刷物ウェブ又は部分ウェブのエッジ長さの干渉のために不均等に移動可能であるように構成されている。【選択図】図１
2009029129.tif 000002
【特許請求の範囲】
【請求項１】
少なくとも１つの被印刷物ウェブを印刷するための複数の印刷ユニットと、前記被印刷物ウェブ又は各被印刷物ウェブから横切断によって刷見本を分離し、かつ少なくとも１つの縦折目及び／又は少なくとも１つの横折目を形成するための折畳機と、前記印刷ユニット及び前記折畳機の間で位置決めされる方向転換構造体及び折畳構造体とを備えるウェブ輪転印刷機であって、前記方向転換構造体及び折畳構造体の中で少なくとも１つの被印刷物ウェブが縦切断によって部分ウェブに分離可能であり、及び／又は前記部分ウェブの中で前記被印刷物ウェブ又は各被印刷物ウェブもしくは前記部分ウェブ又は各部分ウェブが方向転換棒及び／又は案内ローラを介して少なくとも１つの折畳調整器に供給可能であるウェブ輪転印刷機であって、
前記被印刷物ウェブ又は各被印刷物ウェブ及び／又は前記部分ウェブ又は各部分ウェブの輸送路に沿って前記方向転換構造体及び前記折畳構造体によってそれぞれ少なくとも１つの案内ローラ(１５)が位置決めされており、前記案内ローラ(１５)の両端部(１９、２０)にそれぞれ１つの調整ユニット(２１)が組み込まれており、前記調整ユニット(２１)を介して前記各案内ローラ(１５)の前記各端部(１９、２０)が前記各被印刷物ウェブ又は前記部分ウェブの走行方向へ及び／又は前記走行方向と逆に線状に移動可能であり、すなわち前記各案内ローラ(１５)の両端部(１９、２０)が切断レジスタの干渉のために均等に又は前記各案内ローラ(１５)の両端部(１９、２０)が前記各被印刷物ウェブ又は前記部分ウェブのエッジ長さの干渉のために不均等に移動可能であるように構成されていることを特徴とするウェブ輪転印刷機。
【請求項２】
前記各調整ユニット(２１)が電動式アクチュエータとして形成されていることを特徴とする請求項１に記載のウェブ輪転印刷機。
【請求項３】
前記各調整ユニット(２１)が電動式リニア駆動装置として形成されていることを特徴とする請求項２に記載のウェブ輪転印刷機。
【請求項４】
前記各調整ユニット(２１)が前記方向転換構造体(１０)に組み込まれていることを特徴とする請求項１から３のいずれか一項に記載のウェブ輪転印刷機。
【発明の詳細な説明】
【技術分野】
【０００１】
本発明は、請求項１のプリアンブル記載のウェブ輪転印刷機に関する。
【背景技術】
【０００２】
ウェブ輪転印刷機は少なくとも１つの被印刷物ウェブを印刷するための複数の印刷ユニットを使用する。新聞印刷機においては、通常複数の印刷ユニットが印刷タワーの形態で垂直に上下に位置決めされている。被印刷物ウェブ又は各被印刷物ウェブの輸送方向に見て印刷ユニットの下流でウェブ輪転印刷機が１つの折畳機を使用し、折畳機の領域で被印刷物ウェブ又は各被印刷物ウェブから刷見本が横切断によって分離される。さらに、折畳機は分離された刷見本で少なくとも１つの横折目及び／又は少なくとも１つの縦折目の形成に用いられる。ウェブ輪転印刷機の印刷ユニットと折畳機との間に、いわゆる方向転換構造体及び折畳構造体が位置決めされており、方向転換構造体及び折畳構造体の領域で少なくとも１つの被印刷物ウェブが縦切断によって部分ウェブに分離することができる。これに対して択一的又は付加的に、被印刷物ウェブ又は各被印刷物ウェブもしくは部分ウェブ又は各部分ウェブは方向転換棒及び／又は案内ローラを介して方向転換構造体及び折畳構造体の少なくとも１つの折畳調整器に供給可能である。
【０００３】
実務から知られているウェブ輪転印刷機は切断レジスタ制御のための装置と、ウェブエッジ制御のための装置とを使用し、実務によれば装置類は互いに独立して被印刷物ウェブ又は各被印刷物ウェブもしくはこれらの部分ウェブ又は各部分ウェブの輸送路に沿って好ましくは方向転換構造体及び折畳構造体の領域で位置決めされた独立のユニットとして構成されている。それによって比較的多くの取付スペースが必要になる。
【発明の開示】
【発明が解決しようとする課題】
【０００４】
上記を前提として本発明の基礎に置いている問題は新規方式のウェブ輪転印刷機を作ることである。
【課題を解決するための手段】
【０００５】
この問題は請求項１に適合するウェブ輪転印刷機によって解決される。本発明により被印刷物ウェブ又は各被印刷物ウェブ及び／又は部分ウェブ又は各部分ウェブの輸送路に沿って方向転換構造体及び折畳構造体によってそれぞれ少なくとも１つの案内ローラが位置決めされており、案内ローラの両端部にそれぞれ１つの調整ユニットが組み込まれており、調整ユニットを介して各案内ローラの各端部が各被印刷物ウェブ又は部分ウェブの走行方向へ及び／又は該走行方向と逆に線状に移動可能であり、すなわち各案内ローラの両端部が切断レジスタの干渉のために均等に又は各案内ローラの両端部が各被印刷物ウェブ又は部分ウェブのエッジ長さの干渉のために不均等に移動可能であるように構成されている。
【０００６】
本発明に係る印刷機においては、切断レジスタの制御ならびに被印刷物ウェブ又は各被印刷物ウェブもしくは部分ウェブ又は各部分ウェブのウェブエッジ長さの制御は一緒にそれぞれ少なくとも１つの案内ローラによって実現されている。それによれば切断レジスタ制御ならびにウェブエッジ制御は本発明に係る印刷機において分離されたユニットによって実現されず、むしろユニットの中で組み合わされている。それによって取付スペースを節約できる。
【０００７】
各調整ユニットは、好ましくは電動式アクチュエータとして、特に電動式リニア駆動装置として形成されている。
【０００８】
本発明の有利な発展的形成は従属請求項及び以下の明細書から明らかである。本発明の実施例を図面を利用してより詳しく説明する。
【０００９】
ここに提示する発明は、少なくとも１つの被印刷物ウェブを印刷するための複数の印刷ユニット及び１つの折畳機を有するウェブ輪転印刷機に関する。折畳機の領域で横切断によって被印刷物ウェブ又は各被印刷物ウェブから刷見本が分離可能である。さらに折畳機の領域で少なくとも１つの縦折目及び／又は少なくとも１つの横折目を形成可能である。印刷ユニットと折畳機との間に、いわゆる方向転換構造体及び折畳構造体が位置決めされている。
【発明を実施するための最良の形態】
【００１０】
図１は方向転換構造体１０の領域におけるウェブ輪転印刷機の一部分を示し、図１の方向転換構造体１０の領域で印刷された被印刷物ウェブ１１が切断装置１２を利用して縦切断によって２つの部分ウェブ１３、１４に分離される。部分ウェブ１３、１４は案内ローラ１５、１６を介して方向転換構造体１０に後置された折畳構造体１８の折畳調整器１７に供給可能である。折畳調整器１７の領域で部分ウェブ１３、１４に縦折目が形成されており、部分ウェブ１３、１４の輸送方向に見て折畳調整器１７の下流で横切断によって部分ウェブ１３、１４と共に被印刷物ウェブ１１から刷見本が分離される。
【００１１】
ここに提示した発明の意味において両方の部分ウェブ１３、１４の輸送路に沿ってそれぞれ少なくとも１つの案内ローラ１５が位置決めされており、案内ローラ１５の両端部１９、２０にそれぞれ１つの調整ユニット２１(図２参照)が組み込まれており、調整ユニット２１を介して各案内ローラ１５の各端部１９、２０が各部分ウェブ１３、１４の走行方向へもしくは走行方向と逆に線状に移動可能である。案内ローラ１５の端部１９、２０の線状の可移動性は図１、２に矢印２２で可視化されている。
【００１２】
本発明により各案内ローラ１５に端部１９、２０が対応する調整ユニット２１を介して切断レジスタの干渉又は制御のために均等に又は各部分ウェブ１３、１４のエッジ長さの干渉又は制御のために不均等に移動可能である。それに応じて上記方式で形成された各案内ローラ１５は一方でウェブエッジ制御に、かつ他方では切断レジスタ制御に用いられる。各案内ローラ１５に割り当てられた調整ユニット２１は、各案内ローラ１５の対応する端部１９、２０を均等又は不均等に各部分ウェブ１３、１４の走行方向へもしくは該走行方向と逆に線状に移動するために、均等又は不均等に駆動可能である。
【００１３】
各調整ユニット２１は、好ましくは電動式アクチュエータとして、特に電動式リニア駆動装置として形成されている。これは高い動特性を有する案内ローラ１５の移動を可能にし、その結果、切断レジスタ及び各部分ウェブもしくは被印刷物ウェブの側面エッジ長さの同時の動的制御が可能である。
【００１４】
図１は、方向転換構造体１０の可能な一実施態様を示しており、方向転換構造体に各部分ウェブ１３、１４に対して少なくとも１つの調整ユニット１５が組み込まれている。本発明はこの具体的な適用事例に限定されていない。むしろ本発明は、その他の方向転換構造体及び折畳構造体を備えるウェブ輪転印刷機にも使用することができる。
【図面の簡単な説明】
【００１５】
【図１】本発明に係るウェブ輪転印刷機の一実施例の模式断面図である。
【図２】図１による配列の詳細図である。
【符号の説明】
【００１６】
１０    方向転換構造体
１１    被印刷物ウェブ
１２    切断装置
１３    部分ウェブ
１４    部分ウェブ
１５    案内ローラ
１６    案内ローラ
１７    折畳調整器
１８    折畳構造体
１９    端部
２０    端部
２１    調整ユニット
２２    矢印
【図１】
2009029129.tif 000003
【図２】
2009029129.tif 000004